(57)【要約】【課題】広告ディスプレイなどとして用いた場合に省エネルギーを可能にし、また、全体の価格の高騰化を抑えることができ、しかも、防犯設備との接続によって異常情報の表示をも可能にする、ブラインドを提供する。【解決手段】複数のブラインド羽根４を備えてなるブラインド１であって、ブラインド羽根４の少なくとも一枚に電気泳動ディプレイ（表示部７）が設けられている。電気泳動ディスプレイ（表示部７）による表示を制御する制御手段１０が備えられているのが好ましい。【選択図】図１
2007169960.tif 000002
【特許請求の範囲】
【請求項１】
複数のブラインド羽根を備えてなるブラインドであって、
前記ブラインド羽根の少なくとも一枚に電気泳動ディプレイが設けられていることを特徴とするブラインド。
【請求項２】
前記電気泳動ディスプレイによる表示を制御する制御手段が備えられていることを特徴とする請求項１記載のブラインド。
【請求項３】
前記制御手段は、防犯設備の異常検知装置に接続されて、該異常検知装置から出力された異常情報を入力し、この入力情報に基づく表示をなさせるように前記電気泳動ディスプレイに制御信号を出力する、異常情報表示機能を備えていることを特徴とする請求項１又は２記載のブラインド。
【請求項４】
前記電気泳動ディスプレイは、前記制御手段と、通信ケーブルを介して接続されていることを特徴とする請求項１〜３のいずれか一項に記載のブラインド。
【請求項５】
前記制御手段から出力された制御信号を無線信号により発信する無線信号発信手段を備え、
前記電気泳動ディスプレイには、前記無線信号を受信する無線信号受信手段が備えられていることを特徴とする請求項１〜３のいずれか一項に記載のブラインド。
【請求項６】
前記無線信号はＲＦ信号であり、
前記無線信号受信手段は、前記ＲＦ信号の磁気起電力により電力を生成し、前記無線信号に含まれる情報を抽出して前記電気泳動ディスプレイに出力することを特徴とする請求項５記載のブラインド。
【請求項７】
前記無線信号発信手段は、電源からの電力をＲＦ信号で発信し、
前記無線信号受信手段は、前記ＲＦ信号の磁気起電力により電力を生成し、この電力によって前記電気泳動ディスプレイを駆動することを特徴とする請求項６記載のブラインド。
【発明の詳細な説明】
【技術分野】
【０００１】
本発明は、電気泳動ディスプレイを設けたブラインドに関する。
【背景技術】
【０００２】
ブラインドに絵や文字を記載し、これを窓や出入り口などに取り付けることで、広告ディスプレイとして用いることが知られている。しかし、その場合には、決められた絵や文字しか表すことができないことから、ディスプレイ効果の点で、必ずしも満足できるものではなかった。
そこで、発光体であるＥＬシートを用いて発光ブラインドを形成し、これを広告ディスプレイとして用いることが提案されている（例えば、特許文献１参照）。
また、透明パネルを構成する透明板の間に、ブラインドに擬した複数の液晶ブラインドパターンを挟み込んだ、液晶ブラインド付き透明パネルも提案されている（例えば、特許文献２参照）。この液晶ブラインド付き透明パネルでは、太陽電池と蓄電池とを用いて表示させることにより、外部から電力供給をすることなく、ほぼ２４時間無休で自動運転することが可能になっている。
【特許文献１】特開２０００−３０３７５８号公報
【特許文献２】特開２００４−１２８１８号公報
【発明の開示】
【発明が解決しようとする課題】
【０００３】
しかしながら、前記の発光ブラインドでは、表示中に常に通電する必要があることから、省エネルギーの観点からは好ましいものとはいえなかった。
また、前記の液晶ブラインド付き透明パネルでは、前記の不都合を太陽電池と蓄電池とを用いることで解消できるものの、昼間に蓄えられる電力と液晶で消費される電力とを考えると、大容量の蓄電池が必要となり、したがってブラインドの価格が高いものとなってしまう。
【０００４】
本発明は前記事情に鑑みてなされたもので、その目的とするところは、広告ディスプレイなどとして用いた場合に省エネルギーを可能にし、また、全体の価格の高騰化を抑えることができ、しかも、防犯設備との接続によって異常情報の表示をも可能にする、ブラインドを提供することにある。
【課題を解決するための手段】
【０００５】
前記目的を達成するため本発明のブラインドは、複数のブラインド羽根を備えてなるブラインドであって、
前記ブラインド羽根の少なくとも一枚に電気泳動ディプレイが設けられていることを特徴としている。
電気泳動ディスプレイは、絵や文字等の情報を一度表示させると、そのメモリ効果により、電力を要することなく継続して情報を表示させることができる。したがって、このような電気泳動ディプレイがブラインド羽根に設けられていることにより、本発明のブラインドは、ほとんど表示初期において必要とした電力のみで、取り付けられた窓や出入り口において１晩中、又は１日中表示を行うことが可能になる。よって、十分に省エネルギー化が図られたものとなる。
また、大容量の蓄電池なども必要ないため、全体の価格の高騰化が抑えられる。
さらに、表示の内容についても、予め任意に設定しておくことが可能である。
【０００６】
また、前記ブラインドにおいては、前記電気泳動ディスプレイによる表示を制御する制御手段が備えられているのが好ましい。
このようにすれば、制御手段としてコンピューター等を用いることにより、任意の情報を表示することが可能になり、広告ディスプレイとしてはもちろん、室内でのポスターなどに代わる鑑賞用のモニターとしても使用することが可能になる。
【０００７】
また、前記ブラインドにおいては、前記制御手段が、防犯設備の異常検知装置に接続されて、該異常検知装置から出力された異常情報を入力し、この入力情報に基づく表示をなさせるように前記電気泳動ディスプレイに制御信号を出力する、異常情報表示機能を備えているのが好ましい。
このようにすれば、防犯設備の異常検知装置で異常が検知された際、その異常情報に基づく表示がブラインド上に表示されるので、例えば異常が検知された場所とは離れた位置でも異常の発生を視認することができる。また、このような異常情報が、電気泳動ディスプレイのメモリ効果によってほとんど電力を要することなく継続して表示されるので、事後においても異常の発生を確実に知ることができる。
【０００８】
また、前記ブラインドにおいては、前記電気泳動ディスプレイが、前記制御手段と、通信ケーブルを介して接続されていてもよい。
このようにすれば、ブラインドが取り付けられる窓や出入り口とは別の位置で、ブラインドの電気泳動ディスプレイに表示させる情報の種類等を選択することなどにより、表示の制御を行うことが可能になる。
【０００９】
また、前記ブラインドにおいては、前記制御手段から出力された制御信号を無線信号により発信する無線信号発信手段を備え、前記電気泳動ディスプレイには、前記無線信号を受信する無線信号受信手段が備えられていてもよい。
このようにすれば、ブラインドが取り付けられる窓や出入り口とは別の位置で、ブラインドの電気泳動ディスプレイに表示させる情報の種類等を選択することなどにより、表示の制御を行うことが可能になる。また、特に制御手段が無線で接続されることにより、制御手段の位置を変えることなども容易になる。
【００１０】
なお、このブラインドにおいては、前記無線信号はＲＦ信号であり、前記無線信号受信手段は、前記ＲＦ信号の磁気起電力により電力を生成し、前記無線信号に含まれる情報を抽出して前記電気泳動ディスプレイに出力するよう構成されているのが好ましい。
このようにすれば、ＲＦＩＤの技術によって微弱な電波で電気泳動ディスプレイに情報を表示させることが可能になる。
【００１１】
また、このブラインドにおいては、前記無線信号発信手段は、電源からの電力をＲＦ信号で発信し、前記無線信号受信手段は、前記ＲＦ信号の磁気起電力により電力を生成し、この電力によって前記電気泳動ディスプレイを駆動するよう構成されているのが好ましい。
このようにすれば、ブラインドに電源を有線で接続することなく、制御手段により、表示のための情報とともに無線で電力供給することが可能になる。
【発明を実施するための最良の形態】
【００１２】
以下、本発明のブラインドを図面を参照して詳しく説明する。
図１は、本発明のブラインドの第１実施形態を示す図であり、図１において符号１は、特に広告等の表示をなすディスプレイ機能を備えたブラインドである。このブラインド１は、窓枠（図示せず）や出入り口（図示せず）の上部に取り付けられる細板状の取付部２の両側部に、それぞれ保持用紐３が垂下され、これら保持用紐３、３に多数のブラインド羽根４が保持され、さらに保持用紐３、３の下端に細板状の下部錘部５が吊されて、本体部１Ａが構成されたものである。
【００１３】
ブラインド羽根４は、細板状で薄厚に形成されたもので、取付部２と下部錘部５との間において略等間隔で保持用紐３、３に保持されたものである。そして、既存のブラインドと同様に、保持用紐３、３に接続する開閉操作部６を操作することにより、ブラインド羽根４の長辺方向に沿った軸回りの傾斜角度、及びブラインド羽根４と下部錘部５の昇降位置を、調整することができるようになっている。
また、ブラインド羽根４は、その全部、あるいは一部（少なくとも一枚）が、電気泳動ディスプレイからなる表示部７を有したものとなっており、本実施形態では、図１に示したように、複数枚が表示部７を備えて形成されている。
【００１４】
ここで、表示部７を構成する電気泳動ディスプレイは、図２に示すように、一方が透明基板からなる一対の基板１１、１１がシール材１２を介して対向配置され、これら一対の基板１１、１１とシール材１２との間に形成された閉空間に、帯電粒子（図示せず）を含有する電気泳動分散液（図示せず）を収容したマイクロカプセル１３が、多数配設されて構成されたものである。一対の基板１１、１１には、互いに対向する内側の面に、ＩＴＯ等の透明電極１４ａ、１４ｂが形成されており、これら電極１４ａ、１４ｂ間に電圧が印加されることで、電気泳動分散液中の帯電粒子がいずれか一方の基板側１１に泳動し、表示を行うようになっている。
【００１５】
ここで、電極１４ａ、１４ｂは、一方の基板１１側の電極１４ａが画素電極となっており、他方の基板１１側の電極１４ｂが共通電極となっている。画素電極１４ａとしては、例えば所望形状のセグメントによって形成され、またはドット状に形成される。また、一対の電極１４ａ、１４ｂを、画素電極と共通電極とによって構成するのに代えて、互いに直交するストライプ状（マトリクス状）のもので形成してもよい。
【００１６】
このような電気泳動ディスプレイにおいて、例えば透明基板１１側の電極１４がマイナスとなるように電圧を印加すると、前記マイクロカプセル１３中のプラスに帯電された帯電粒子はクーロン力によって透明基板側に泳動し、マイクロカプセル１３の内壁面側に集まって層をなす。このような状態の電気泳動ディスプレイを透明基板側から観察すると、帯電粒子が集まって層をなした部分は、帯電粒子の色、例えば黒色に見えるようになり、背景（例えば白色）とは違うもの（色）として明瞭に視認できるようになる。なお、逆に透明基板１１側の電極がプラスとなるように電圧を印加し、マイナスに帯電した帯電粒子を透明基板１１側に泳動させるように構成することもできる。
【００１７】
また、このような電気泳動ディスプレイにおいては、電極１４ａ、１４ｂ間に電圧を印加し、帯電粒子を一方の基板１１側に泳動させた後、電極１４ａ、１４ｂ間への電圧印加を停止しても、泳動した帯電粒子はその位置を保持する。したがって、これら帯電粒子による表示が電圧印加停止後も継続され、これにより、メモリ効果が発揮される。
【００１８】
そして、このような構成のもとに表示部７は、電極１４ａ、１４ｂ間に電圧が印加されることにより、所望の表示を行うようになっている。
なお、表示部７は、独立した電気泳動デイスプレイによって形成され、これがブラインド羽根４に貼設されたことによってブラインド羽根４に設けられたものとなっていてもよく、あるいは、ブラインド羽根４そのものの一部又は全部が、一対の基板１１、１１等を備えてなる電気泳動デイスプレイによって形成されていてもよい。また、このような電気泳動デイスプレイからなる表示部７は、本実施形態では図１に示したように、店舗の窓や出入り口において、その表示面を外側に向けて配置されたものとなっている。
【００１９】
また、このような多数のブラインド羽根４を保持する前記の保持用紐３には、電力用の電線（電気配線）と制御信号用の電線とが設けられている。あるいは、この保持用紐３自体が、導電性材料からなる前記二種類の電線となっている。そして、この保持用紐３の一端側、本実施形態では取付部２内に配置される端部側に、制御信号受信部８が設けられている。なお、この制御信号受信部８を、下部錘部５側に設けてもよいのはもちろんである。
【００２０】
制御信号受信部８には、ＵＳＢなどを備えた通信ケーブル９を介して制御手段１０が接続されている。この制御手段１０は、例えばコンピューターによって構成されたもので、前記表示部７で表示する情報を例えば表示データとして予め保存し、これを制御信号として前記通信ケーブル９を介して制御信号受信部８に送信するようになっている。また、制御手段１０は、通信ケーブル９及び前記制御信号受信部８を介して、各表示部７の表示時に要する電力も供給するようになっている。
【００２１】
このような構成のブラインド１にあっては、開閉操作部６を操作することにより、既存のブラインドと同様に採光、遮光を任意に行うことができる。また、特にこのブラインド１を閉じた状態では、制御手段１０によってブラインド羽根４の表示部７に制御信号を送信することにより、表示部７によって所望の表示をなさせることができる。
【００２２】
すなわち、表示部７で表示をなさせるには、図３の処理フロー図に示すように、まず、制御手段１０から通信ケーブル９を介して表示データ（制御信号）を制御信号受信部８に送信する（ステップ１；図３中ではＳＴ１と記す。以下同様）。なお、この表示の初期段階においては、この表示時に要する電力についても、制御手段１０から制御信号受信部８に供給する。
【００２３】
すると、制御信号受信部８では前記表示データ（制御信号）を受信し（ＳＴ２）、受信した制御信号を保持用紐３の制御信号用電線（図示せず）を介して各ブラインド羽根４の表示部７に送る。同時に、入力した電力を保持用紐３の電力用電線（図示せず）を介して各ブラインド羽根４の表示部７に送る。そして、各表示部７では、送られてきた制御信号（表示データ）に基づき、例えば図１に示したように「準備中」「営業時間」「１０：００〜２０：００」といった表示を行う（ＳＴ３）。なお、このような表示は、本実施形態では、複数枚のブラインド羽根４の各表示部７での表示が合成されることにより、なされている。
【００２４】
また、このような表示を一旦行わせた後には、節電のため、制御手段１０から各表示部７（電気泳動ディスプレイ）への電力の供給を停止する。このように電力供給を停止しても、電気泳動ディスプレイは前記のメモリ効果のため、一旦表示した内容を再度書き換えるまで継続して表示し続ける。
【００２５】
したがって、本実施形態のブラインド１にあっては、ほとんど表示初期において必要とした電力のみで、取り付けられた窓や出入り口において１晩中、又は１日中所望の表示を行うことができる。よって、十分に省エネルギー化が図られたものとなる。また、大容量の蓄電池なども必要ないため、全体の価格の高騰化を抑えて安価にすることができる。
さらに、コンピューター等からなる制御手段１０によって表示情報を予め設定しておくことにより、任意の情報を表示することができる。したがって、図１に示したように店舗において表示面を外側に向けて表示させることで、広告ディスプレイとして機能させることができ、また、居所において室内側に向けて表示させることで、室内での鑑賞用のモニターとしても機能させることができる。
【００２６】
図４は、本発明のブラインドの第２実施形態を示す図であり、図４において符号２０はディスプレイ機能を備えたブラインドである。このブラインド２０が図１に示したブラインド１と異なるところは、通信ケーブル９を用いて制御手段１０から制御信号受信部８に制御信号を送信するのに代えて、ＲＦＩＤ（Radio Frequency Identification）の技術などの無線により、制御手段１０から制御信号受信部２２に制御信号を送信するようにした点にある。
【００２７】
すなわち、本実施形態のブラインド２０においては、前記制御手段１０に無線信号発信手段２１が接続されており、また、取付部２に設けられた制御信号受信部２２は、無線信号発信手段２１からの無線信号を受信するものとなっている。
制御手段１０に接続された無線信号発信手段２１は、制御手段１０のＣＰＵから出力された制御信号をＲＦ信号に変換し、前記制御信号受信部２２に発信（送信）する、ＲＦ信号発信部となっている。
【００２８】
一方、制御信号受信部２２は、本実施形態では下部錘部５側に設けられたもので、図５に示すように無線信号発信手段２１から発信されたＲＦ信号を受信するためのアンテナ２３と、ＩＣチップ２４とを備えて構成されたものである。そして、このような構成のもとに、受信したＲＦ信号により磁気起電力を発生し、この電力により受信した情報を表示させる処理を行なわせるとともに、表示部７（電気泳動ディスプレイ）の初期駆動（表示）をなさせるようになっている。
【００２９】
すなわち、制御信号受信部２２内のＩＣチップ２４の機能ブロック図である図６に示すように、このＩＣチップ２４は、アンテナ２３で受信したＲＦ信号を電力に変換するデータ受信部２５と、このデータ受信部２５で変換された電力を再度制御信号に変換して各表示部７（電気泳動ディスプレイ）に送信する制御部２６と、アンテナ２３で受信したＲＦ信号から駆動用の電力を生成し、各表示部７（電気泳動ディスプレイ）に供給する電力生成部２７と、を備えて構成されたものである。
【００３０】
このような構成のブラインド２０にあっても、図１に示したブラインド１と同様に、開閉操作部６を操作することにより、採光、遮光を任意に行うことができる。また、特にこのブラインド２０を閉じた状態では、制御手段１０によってブラインド羽根４の表示部７に制御信号を送信することにより、表示部７によって所望の表示をなさせることができる。
【００３１】
すなわち、図２の処理フロー図に示すように、制御手段１０から無線信号発信手段２１を介してＲＦ信号による表示データ（制御信号）を制御信号受信部２２に発信（送信）する（ＳＴ１）。なお、この表示の初期段階においては、この表示時に要する電力についても、制御手段１０から無線信号発信手段２１を介して電力用のＲＦ信号を制御信号受信部２２に発信（送信）する。
【００３２】
すると、制御信号受信部２２では前記のＲＦ信号による表示データ（制御信号）を受信し（ＳＴ２）、データ受信部２５で電力に変換した後、制御部２６で再度制御信号に変換し、この制御信号を保持用紐３の制御信号用電線（図示せず）を介して各ブラインド羽根４の表示部７に送る。同時に、入力したＲＦ信号から電力生成部２７で電力を生成し、これを保持用紐３の電力用電線（図示せず）を介して各ブラインド羽根４の表示部７に送る。そして、各表示部７では、送られてきた制御信号（表示データ）に基づき、例えば図１に示したように「準備中」「営業時間」「１０：００〜２０：００」といった表示を行う（ＳＴ３）。
【００３３】
なお、このブラインド２０にあっても、表示を一旦行わせた後には、表示を継続させつつ、節電のために制御手段１０から各表示部７（電気泳動ディスプレイ）への電力の供給を停止することができる。
したがって、本実施形態のブラインド２０にあっても、前記のブラインド１と同様に、ほとんど表示初期において必要とした電力のみで、長時間所望の表示を行うことができる。よって、十分に省エネルギー化が図られたものとなる。また、大容量の蓄電池なども必要ないため、全体の価格の高騰化を抑えて安価にすることができる。
さらに、コンピューター等からなる制御手段１０によって表示情報を予め設定しておくことにより、任意の情報を表示することができる。
【００３４】
また、制御手段１０が表示部７側に無線で接続されることにより、制御手段１０の位置を変えることなども容易になり、制御手段１０をその操作性がより良くなる環境に配置することができる。また、特にＲＦＩＤの技術により、微弱な電波で表示部７（電気泳動ディスプレイ）に情報を表示させることができ、したがって省エネルギー化をさらに進めることができる。
また、制御手段１０により、表示のための情報とともに無線で電力供給することができるため、制御手段１０を除いた、ブラインド羽根４を備えたブラインド２０の本体側に電源を有線で接続する必要がなくなり、したがって、ブラインド２０自体の設置が配線などによって規制されることなく任意となり、高い自由度のもとで容易に行うことができるようになる。
【００３５】
図７は、本発明のブラインドの第３実施形態を示す図であり、図７において符号３０はディスプレイ機能を備えたブラインドである。このブラインド３０が図１に示したブラインド１と異なるところは、制御手段１０が、防犯設備の異常検知装置３１に接続されて、該異常検知装置３０から出力された異常情報を入力し、この入力情報に基づく表示をなさせるように前記表示部７（電気泳動ディスプレイ）に制御信号を出力する、異常情報表示機能を備えている点にある。
【００３６】
異常検知装置３１は、図８に示すうように振動センサ、赤外線センサ、音センサ等の各種の防犯センサ３２と、これら防犯センサ３２に接続した中央制御部３３と、異常発生時に、この中央制御部３３から防犯センターなどに異常の発生を通知（発信）する異常情報発信手段３４とを備えて構成されたものである。そして、本実施形態のブラインド３０における制御手段１０は、前記異常検知装置３１に有線または無線で接続されたことにより、異常情報発信手段３４から防犯センターに異常の発生（異常情報）が通知された際、同様の異常情報を異常情報表示機能１０ａで入力し、この入力情報に基づく表示をなさせるように、前記表示部７（電気泳動ディスプレイ）に制御信号を出力するようになっている。異常情報表示機能１０ａには、異常情報発信手段３４からの異常情報（入力情報）の内容に応じて、予め表示する内容が決められており、異常情報を入力した際、決められた通りの内容に対応する表示データが、通信ケーブル９を介して制御信号受信部８に送信されるようになっている。
【００３７】
このような構成のブラインド３０にあっても、図１に示したブラインド１と同様に、開閉操作部６を操作することにより、採光、遮光を任意に行うことができる。また、特にこのブラインド３０を閉じた状態では、制御手段１０によってブラインド羽根４の表示部７に制御信号を送信することにより、表示部７によって所望の表示をなさせることができる。したがって、前記のブラインド１と同様に、広告ディスプレイなどとして用いた場合に省エネルギー化を図ることができ、また、全体の価格の高騰化を抑えることができるなどの効果を奏する。
【００３８】
また、図９に示すように特に異常検知装置３１の防犯センサ３２で異常を感知すると（ＳＴ１）、この異常情報（異常の発生）が異常情報発信手段３４から防犯センターに通知・送信される（ＳＴ２）。その際、特に本実施形態では、異常情報発信手段３４から制御手段１０に異常情報が送信（出力）され、制御手段１０の異常情報表示機能１０ａはこの異常情報を入力（受信）する。そして、異常情報表示機能１０ａは、この異常情報（入力情報）の内容に対応する表示データを、通信ケーブル９を介して制御信号受信部８に送信する（ＳＴ３）。
【００３９】
すると、制御信号受信部８では前記表示データ（制御信号）を受信し（ＳＴ４）、受信した制御信号を保持用紐３の制御信号用電線（図示せず）を介して各ブラインド羽根４の表示部７に送る。そして、各表示部７では、送られてきた制御信号（表示データ）に基づき、例えば図７に示したように「異常発生」「侵入者あり！！」といった表示を行う（ＳＴ５）。
【００４０】
このようにして異常発生についての表示がブラインド３０になされることにより、例えばこのブラインド３０が店舗において店の外に向けて表示されている場合には、防犯センターから駆けつけた警備員が異常を感知している家を容易に探しだせるようになり、また、通行人などもこれを見て表示された異常内容に迅速に対応することができる。同様に、一般家屋などにおいて、屋外に向けて表示される場合には、侵入者に気づかれずに異常を外部に知らせることができ、したがって防犯センターから駆けつけた警備員などに容易に異常を知らせることができる。
また、一般家屋などにおいて、室内に向けて表示される場合には、例えば別室で異常が発生し、これを寝室でブラインド３０の表示により知った場合など、早急に通報し、または身の安全を図るなどの対応が可能になる。
また、このような異常情報が、電気泳動ディスプレイのメモリ効果によってほとんど電力を要することなく継続して表示されるので、事後においても異常の発生を確実に知ることができる。
【００４１】
なお、この第３実施形態では、第１実施形態と同様に、制御手段１０と制御信号受信部８とを通信ケーブル９で接続するようにしたが、第２実施形態と同様に、制御手段１０と制御信号受信部２２とを、無線信号発生手段２１を用いてＲＦＩＤの技術などの無線で接続するようにしてもよい。
【図面の簡単な説明】
【００４２】
【図１】本発明のブラインドにおける第１実施形態の概略構成図である。
【図２】表示部を構成する電気泳動ディスプレイの概略構成を示す側断面図である。
【図３】ブラインドに表示を行わせる際の処理フロー図である。
【図４】本発明のブラインドにおける第２実施形態の概略構成図である。
【図５】第２実施形態における制御信号受信部の概略構成図である。
【図６】制御信号受信部内のＩＣチップの機能ブロック図である。
【図７】第３実施形態における制御信号受信部の概略構成図である。
【図８】異常検知装置の概略構成を示すブロック図である。
【図９】第３実施形態のブラインドに表示を行わせる際の処理フロー図である。
【符号の説明】
【００４３】
１、２０、３０…ブラインド、４…ブラインド羽根、７…表示部（電気泳動ディスプレイ）、８、２２…制御信号受信部、９…通信ケーブル、１０…通信手段、１０ａ…異常情報表示機能、２１…無線信号発信手段、３１…異常検知装置
【図１】
2007169960.tif 000003
【図２】
2007169960.tif 000004
【図３】
2007169960.tif 000005
【図４】
2007169960.tif 000006
【図５】
2007169960.tif 000007
【図６】
2007169960.tif 000008
【図７】
2007169960.tif 000009
【図８】
2007169960.tif 000010
【図９】
2007169960.tif 000011